【手続補正書】
【提出日】平成29年3月14日(2017.3.14)
【手続補正１】
【補正対象書類名】特許請求の範囲
【補正対象項目名】全文
【補正方法】変更
【補正の内容】
【特許請求の範囲】
【請求項１】
組織領域の近くに位置するように構成された第１の長手方向部材及び第２の長手方向部材と、
第１の長手方向部材及び第２の長手方向部材に連結されたエネルギー源と、
前記組織領域の少なくとも１つの特性を測定するように構成された測定デバイスと、
前記エネルギー源及び前記測定デバイスに連結されたエネルギーコントローラであって、前記エネルギーコントローラが、メモリに連結されたプロセッサを備え、かつ前記メモリに記憶されたプログラムされた命令を実行するように構成され、前記命令が、
前記エネルギー源から前記組織領域へのエネルギー送達を開始することと、
前記組織領域への前記エネルギー送達に基づいて前記測定デバイスから１つまたは複数のデータ項目を受信することと、
前記組織領域内のチャネル形成過程における前記１つまたは複数のデータ項目に基づいて、前記組織領域内の組織焼灼の相状態を決定することであって、前記組織領域内のチャネル形成過程における相状態が、プレプラズマ相、プラズマ相、およびチャネル相を含む、ことと、
前記相状態に基づいて前記組織領域への前記エネルギー送達を調整することと
を含む、
前記エネルギーコントローラと
を備える、装置。
【請求項２】
前記プロセッサが、前記メモリに記憶されたプログラムされた命令を実行するようにさらに構成され、前記命令が、
前記１つまたは複数のデータ項目を、前記１つまたは複数のデータ項目に関連する１つまたは複数のパラメータと比較することと、
前記比較に基づいて前記組織領域への前記エネルギー送達を調整することと
をさらに含む、
請求項１に記載の装置。
【請求項３】
前記１つまたは複数のパラメータが１つまたは複数の組織焼灼波形を含む、請求項２に記載の装置。
【請求項４】
前記１つまたは複数のパラメータがユーザによって入力される、請求項２に記載の装置。
【請求項５】
前記エネルギー源が高周波エネルギー源を含む、請求項１に記載の装置。
【請求項６】
前記測定デバイスが前記組織領域の電気的特性を測定し、前記電気的特性が、電流、電圧、順方向電力、逆方向電力、位相角、またはインピーダンスのうちの１つまたは複数を含む、請求項１に記載の装置。
【請求項７】
前記測定デバイスが前記組織領域の生理学的特性を測定し、前記生理学的特性が、インピーダンス、温度、圧力、組成、または弾性のうちの１つまたは複数を含む、請求項１に記載の装置。
【請求項８】
前記測定デバイスが前記組織領域の視覚的特性を測定し、前記測定デバイスが、血管内超音波検査、光干渉断層撮影、光干渉反射率測定、または血管造影のうちの１つまたは複数を含む、請求項１に記載の装置。
【請求項９】
前記組織領域への前記エネルギー送達を調整することが、前記測定デバイスからの前記１つまたは複数のデータ項目が閾値を超えたときに前記エネルギー送達を終了させることをさらに含む、請求項１に記載の装置。
【請求項１０】
前記１つまたは複数のデータ項目が電圧波形を含み、かつ前記プレプラズマ相が前記電圧波形のピーク電圧測定値によって示され、前記プラズマ相が前記電圧波形の前記電圧測定値の減少によって示され、前記チャネル相が前記電圧波形の前記電圧測定値のさらなる減少によって示される、請求項１に記載の装置。
【請求項１１】
前記１つまたは複数のデータ項目が波形を含み、かつ前記プレプラズマ相が前記波形の最小電流測定値によって示され、前記プラズマ相が前記波形の前記電流測定値の増加によって示され、前記チャネル相が前記波形の前記電流測定値のさらなる増加によって示される、請求項１に記載の装置。
【請求項１２】
前記組織領域への前記エネルギー送達を調整することが、処置時間または前記組織領域に対する熱影響を最小限にするために前記エネルギー送達を調整することをさらに含む、請求項１に記載の装置。
【手続補正２】
【補正対象書類名】明細書
【補正対象項目名】００１８
【補正方法】変更
【補正の内容】
【００１８】
この技術は、組織焼灼プロセスをより効果的に実施するために、組織焼灼の状態を監視すること、及び送達されるエネルギーを調整することを可能にする、組織焼灼の測定及び制御のための安全かつ効果的な方法及びデバイスを提供することを含む、多くの利点を提供する。
[本発明1001]
組織領域の近くに位置するように構成された第1の長手方向部材及び第2の長手方向部材と、
第1の長手方向部材及び第2の長手方向部材に連結されたエネルギー源と、
前記組織領域の少なくとも1つの特性を測定するように構成された測定デバイスと、
前記エネルギー源及び前記測定デバイスに連結されたエネルギーコントローラであって、前記エネルギーコントローラが、メモリに連結されたプロセッサを備え、かつ前記メモリに記憶されたプログラムされた命令を実行するように構成され、前記命令が、
前記エネルギー源から前記組織領域へのエネルギー送達を開始することと、
前記組織領域への前記エネルギー送達に基づいて前記測定デバイスから1つまたは複数のデータ項目を受信することと、
前記1つまたは複数のデータ項目に基づいて前記組織領域への前記エネルギー送達を調整することと
を含む、
前記エネルギーコントローラと
を備える、装置。
[本発明1002]
前記プロセッサが、前記メモリに記憶されたプログラムされた命令を実行するようにさらに構成され、前記命令が、
前記1つまたは複数のデータ項目を、前記1つまたは複数のデータ項目に関連する1つまたは複数のパラメータと比較することと、
前記比較に基づいて前記組織領域への前記エネルギー送達を調整することと
をさらに含む、
本発明1001の装置。
[本発明1003]
前記1つまたは複数のパラメータが1つまたは複数の組織焼灼波形を含む、本発明1002の装置。
[本発明1004]
前記1つまたは複数のパラメータがユーザによって入力される、本発明1002の装置。
[本発明1005]
前記エネルギー源が高周波エネルギー源を含む、本発明1001の装置。
[本発明1006]
前記測定デバイスが前記組織領域の電気的特性を測定する、本発明1001の装置。
[本発明1007]
前記電気的特性が、電流、電圧、順方向電力、逆方向電力、位相角、またはインピーダンスのうちの1つまたは複数を含む、本発明1006の装置。
[本発明1008]
前記測定デバイスが前記組織領域の生理学的特性を測定する、本発明1001の装置。
[本発明1009]
前記生理学的特性が、インピーダンス、温度、圧力、組成、または弾性のうちの1つまたは複数を含む、本発明1008の装置。
[本発明1010]
前記測定デバイスが前記組織領域の視覚的特性を測定する、本発明1001の装置。
[本発明1011]
前記測定デバイスが、血管内超音波検査、光干渉断層撮影、光干渉反射率測定、または血管造影のうちの1つを含む、本発明1010の装置。
[本発明1012]
前記組織領域への前記エネルギー送達を調整することが、前記測定デバイスからの前記1つまたは複数のデータ項目が閾値を超えたときに前記エネルギー送達を終了させることをさらに含む、本発明1001の装置。
[本発明1013]
前記プロセッサが、前記メモリに記憶されたプログラムされた命令を実行するようにさらに構成され、前記命令が、
前記組織領域内の組織焼灼の相状態を決定することと、
前記相状態に基づいて前記組織領域への前記エネルギー送達を調整することと
をさらに含む、
本発明1001の装置。
[本発明1014]
前記相状態が、プレプラズマ相、プラズマ相、またはチャネル相のうちの少なくとも1つを含む、本発明1013の装置。
[本発明1015]
前記1つまたは複数のデータ項目が電圧波形を含み、かつ前記プレプラズマ相が前記電圧波形のピーク電圧測定値によって示され、前記プラズマ相が前記電圧波形の前記電圧測定値の減少によって示され、前記チャネル相が前記電圧波形の前記電圧測定値のさらなる減少によって示される、本発明1014の装置。
[本発明1016]
前記1つまたは複数のデータ項目が波形を含み、かつ前記プレプラズマ相が前記波形の最小電流測定値によって示され、前記プラズマ相が前記波形の前記電流測定値の増加によって示され、前記チャネル相が前記波形の前記電流測定値のさらなる増加によって示される、本発明1014の装置。
[本発明1017]
前記組織領域への前記エネルギー送達を調整することが、処置時間を最小限にするために前記エネルギー送達を調整することをさらに含む、本発明1001の装置。
[本発明1018]
前記組織領域への前記エネルギー送達を調整することが、前記組織領域に対する熱影響を最小限にするために前記エネルギー送達を調整することをさらに含む、本発明1001の装置。
[本発明1019]
組織焼灼監視コンピューティングデバイスにより、エネルギー源から、組織領域の近くに位置した第1の長手方向部材及び第2の長手方向部材を通って、前記組織領域へと至るエネルギー送達を開始することと、
前記組織焼灼監視コンピューティングデバイスにより、前記組織領域への前記エネルギー送達に基づいて測定デバイスから1つまたは複数のデータ項目を受信することと、
前記組織焼灼監視コンピューティングデバイスにより、前記1つまたは複数のデータ項目に基づいて前記組織領域への前記エネルギー送達を調整することと
を含む、方法。
[本発明1020]
前記組織焼灼監視コンピューティングデバイスにより、前記1つまたは複数のデータ項目を、前記1つまたは複数のデータ項目に関連する1つまたは複数のパラメータと比較することと、
前記組織焼灼監視コンピューティングデバイスにより、前記比較に基づいて前記組織領域への前記エネルギー送達を調整することと
をさらに含む、本発明1019の方法。
[本発明1021]
前記1つまたは複数のパラメータが1つまたは複数の組織焼灼波形を含む、本発明1020の方法。
[本発明1022]
前記1つまたは複数のパラメータがユーザによって入力される、本発明1020の方法。
[本発明1023]
前記エネルギー源が高周波エネルギー源を含む、本発明1019の方法。
[本発明1024]
前記測定デバイスが前記組織領域の電気的特性を測定する、本発明1019の方法。
[本発明1025]
前記電気的特性が、電流、電圧、順方向電力、逆方向電力、位相角、またはインピーダンスのうちの1つを含む、本発明1024の方法。
[本発明1026]
前記測定デバイスが前記組織領域の生理学的特性を測定する、本発明1019の方法。
[本発明1027]
前記生理学的特性が、インピーダンス、温度、圧力、組成、または弾性のうちの1つまたは複数を含む、本発明1026の方法。
[本発明1028]
前記測定デバイスが前記組織領域の視覚的特性を測定する、本発明1019の方法。
[本発明1029]
前記測定デバイスが、血管内超音波検査、光干渉断層撮影、光干渉反射率測定、または血管造影のうちの1つを含む、本発明1028の方法。
[本発明1030]
前記比較に基づいて前記組織領域への前記エネルギー送達を調整することが、前記測定デバイスからの前記1つまたは複数のデータ項目が閾値を超えたときに前記エネルギー送達を終了させることをさらに含む、本発明1019の方法。
[本発明1031]
前記組織焼灼監視コンピューティングデバイスにより、前記比較に基づいて前記組織領域内の組織焼灼の相状態を決定することと、
前記組織焼灼監視コンピューティングデバイスにより、前記相状態に基づいて前記組織領域への前記エネルギー送達を調整することと
をさらに含む、本発明1019の方法。
[本発明1032]
前記相状態が、プレプラズマ相、プラズマ相、またはチャネル相のうちの少なくとも1つを含む、本発明1031の方法。
[本発明1033]
前記1つまたは複数のデータ項目が電圧波形を含み、かつさらに、前記プレプラズマ相が前記電圧波形のピーク電圧測定値によって示され、前記プラズマ相が前記電圧波形の前記電圧測定値の減少によって示され、前記チャネル相が前記電圧波形の前記電圧測定値のさらなる減少によって示される、本発明1032の方法。
[本発明1034]
前記1つまたは複数のデータ項目が波形を含み、かつさらに、前記プレプラズマ相が前記波形の最小電流測定値によって示され、前記プラズマ相が前記波形の前記電流測定値の増加によって示され、前記チャネル相が前記波形の前記電流測定値のさらなる増加によって示される、本発明1032の方法。
[本発明1035]
前記組織領域への前記エネルギー送達を調整することが、前記組織領域に対する熱影響を最小限にするために前記エネルギー送達を調整することをさらに含む、本発明1019の方法。
[本発明1036]
前記組織領域への前記エネルギー送達を調整することが、前記組織領域に対する熱影響を最小限にするために前記エネルギー送達を調整することをさらに含む、本発明1019の方法。